(57)【要約】【課題】樹脂製の部品をネジ等で固定してもクリープが生じず、ネジ弛みを防ぐことができる部品の固定構造を提供する。【解決手段】樹脂を用いて形成される第１の部品４０と、樹脂を用いて形成される第２の部品５０と、第１の部品４０と第２の部品５０とを固定する固定具６０とからなる部品の固定構造である。第１の部品４０は、樹脂よりも硬質な材料からなる固定部４２を備え、第２の部品５０には、樹脂よりも硬質な材料からなり、取付孔５４が設けられた補強部材５２を備え、固定具６０は、一端に取付孔５４の内径よりも大きい外径の頭部６２を備えるとともに、他端に取付孔５４の内径よりも小さい外径の定着部６１とを備え、固定具６０を定着部６１側の端部から取付孔５４に挿入し、定着部６１を固定部４２に定着させる。【選択図】図３
2010135548.tif 000002
【特許請求の範囲】
【請求項１】
樹脂を用いて形成される第１の部品と、樹脂を用いて形成される第２の部品と、第１の部品と第２の部品とを固定する固定具とからなる部品の固定構造であって、
第１の部品は、樹脂よりも硬質な材料からなる固定部を備え、
第２の部品には、樹脂よりも硬質な材料からなり、取付孔が設けられた補強部材を備え、
固定具は、一端に取付孔の内径よりも大きい外径の頭部を備えるとともに、他端に取付孔の内径よりも小さい外径の定着部とを備え、
固定具を定着部側の端部から取付孔に挿入し、定着部を固定部に定着させることを特徴とする部品の固定構造。
【請求項２】
前記補強部材は、第２の部品と一体成型された金属板であることを特徴とする請求項１に記載の部品の固定構造。
【請求項３】
前記固定具は、ネジであることを特徴とする請求項１または２に記載の部品の固定構造。
【請求項４】
前記固定部は、金属製のインサートナットであることを特徴とする請求項３に記載の部品の固定構造。
【請求項５】
前記固定部は、第１の部品と第２の部品とを接続するヒンジ金具であることを特徴とする請求項１〜３のいずれか一項に記載の部品の固定構造。
【請求項６】
請求項１〜５のいずれか一項に記載の部品の固定構造を有することを特徴とする電子機器。
【発明の詳細な説明】
【技術分野】
【０００１】
本発明は、部品の固定構造及び電子機器に関する。
【背景技術】
【０００２】
携帯電話機等の電子機器には、外部からの衝撃を吸収する樹脂の内部に、シールドやグラウンドとして機能する金属製プレートを一体となるようにインサート成形したモールドケースを筐体に用いているものがある（例えば、特許文献１参照）。
【０００３】
このようなモールドケースを固定するには、一方のケースにネジのネジ部を挿通させる取付孔を設け、他方のケースにインサートナットを設け、ネジのネジ部を取付孔に挿入した状態でインサートナットに螺合させることで固定する方法がある。
【特許文献１】特開２００７−２８１０６９号公報
【発明の開示】
【発明が解決しようとする課題】
【０００４】
ところで、モールドケースの樹脂部分をネジの頭部とインサートナットとで挟持して固定する場合には、長期間の荷重により変形（クリープ）が生じ、樹脂部分がつぶれてネジ弛みが生ずるおそれがある。
【０００５】
本発明の課題は、このような樹脂製の部品をネジ等で固定してもクリープが生じず、ネジ弛みを防ぐことができる部品の固定構造及び電子機器を提供することである。
【課題を解決するための手段】
【０００６】
以上の課題を解決するため、請求項１に記載の発明は、樹脂を用いて形成される第１の部品と、樹脂を用いて形成される第２の部品と、第１の部品と第２の部品とを固定する固定具とからなる部品の固定構造であって、第１の部品は、樹脂よりも硬質な材料からなる固定部を備え、第２の部品には、樹脂よりも硬質な材料からなり、取付孔が設けられた補強部材を備え、固定具は、一端に取付孔の内径よりも大きい外径の頭部を備えるとともに、他端に取付孔の内径よりも小さい外径の定着部とを備え、固定具を定着部側の端部から取付孔に挿入し、定着部を固定部に定着させることを特徴とする。
【０００７】
請求項２に記載の発明は、請求項１に記載の部品の固定構造であって、前記補強部材は、第２の部品と一体成型された金属板であることを特徴とする。
【０００８】
請求項３に記載の発明は、請求項１または２に記載の部品の固定構造であって、前記固定具は、ネジであることを特徴とする。
【０００９】
請求項４に記載の発明は、請求項３に記載の部品の固定構造であって、前記固定部は、金属製のインサートナットであることを特徴とする。
【００１０】
請求項５に記載の発明は、請求項１〜３のいずれか一項に記載の部品の固定構造であって、前記固定部は、第１の部品と第２の部品とを接続するヒンジ金具であることを特徴とする。
【００１１】
請求項６に記載の発明は、電子機器であって、請求項１〜５のいずれか一項に記載の部品の固定構造を有することを特徴とする。
【発明の効果】
【００１２】
本発明によれば、樹脂製の部品をネジ等で固定してもクリープが生じず、ネジ弛みを防ぐことができる。
【発明を実施するための最良の形態】
【００１３】
以下、本発明の第１の実施の形態として、携帯電話機について詳細に説明する。図１は本実施の形態に係る携帯電話機１の一部を分解した分解斜視図である。この携帯電話機１は２軸ヒンジを有する折り畳み式である。携帯電話機１は、操作部筐体２と、表示部筐体４と、操作部筐体２と表示部筐体４との端部を接続する支持筐体３と、等から概略構成されている。
【００１４】
支持筐体３は、操作部筐体２の一端と左右２箇所で接続され、操作部筐体２に対して回転可能に設けられている。このため、表示部筐体４及び支持筐体３を操作部筐体２に対して重ね合わせることができ、携帯電話機１を折り畳み可能としている。
【００１５】
また、支持筐体３の左右方向の中央部には、支持筐体３と表示部筐体４と接続するヒンジ３２が設けられている。ヒンジ３２は、表示部筐体４と、支持筐体３とを回転可能とするとともに、表示部筐体４と、支持筐体３が１８０度回転した位置において面一となるような状態で安定するように保持する。
【００１６】
図１では、表示部筐体４が分解されている。表示部筐体４は、ヒンジ３２が固定される背面ケース４０と、背面ケース４０に固定される前面ケース５０と、前面ケース５０を背面ケース４０に固定するネジ６０と、等を備える。なお、前面ケース５０は枠状の樹脂ケース５３の背面側にプレート５２が一体となるように設けられ、図示しない表示装置が収納される収納凹部５１が形成されている。プレート５２は図２に示すように、ネジ６０が挿入される取付孔５４の位置まで延在し、樹脂ケース５３に設けられた孔５５から露出されている。
背面ケース４０には表示装置と操作部筐体２内の電子回路とを接続する図示しないＦＰＣ等が収納される。
【００１７】
図２は図１のII−II矢視断面図である。前面ケース５０は、樹脂ケース５３と内部の金属製のプレート５２とが一体となるようにインサート成形してなるモールドケースである。プレート５２は前面ケース５０の強度を保つとともに、電磁的なシールド、さらに電気的なグラウンドとしても機能する。樹脂ケース５３は外部からの衝撃を吸収する役割を果たす。
【００１８】
図１、図２に示すように、プレート５２には、ネジ６０が挿通される取付孔５４が設けられている。樹脂ケース５３には、取付孔５４よりも内径が大きく、取付孔５４の周囲においてプレート５２を露出させる孔５５が設けられている。
【００１９】
図３はネジ６０による前面ケース５０と背面ケース４０との接合部の断面図である。図３に示すように、背面ケース４０は、樹脂ケース４３の内部にインサートナット４２が一体となるように設けられている。
【００２０】
前面ケース５０と背面ケース４０とをネジ６０により接合するには、ネジ６０のネジ部６１を取付孔５４に挿通し、インサートナット４２に螺合させる。このとき、図３に示すように、ネジ６０の頭部６２とインサートナット４２との間にプレート５２が挟持される。プレート５２は金属製であるため、ネジ６０の頭部６２とインサートナット４２とで長期間挟持されても、クリープが生じない。このため、ネジ弛みを防ぐことができる。
【００２１】
なお、本実施の形態においては、インサートナット４２にモールドケースを固定する場合について説明したが、例えば、図４に示すように、金属製のヒンジ３２に前面ケース５０を固定する場合に、ネジ６０の頭部６２とヒンジ３２との間でプレート５２を挟持させてもよい。また、ネジの代わりにリベットやＥ形止め輪を用いてもよい。
【００２２】
また、上記実施形態においては、携帯電話機について説明したが、本発明はこれに限らず、カメラ、ＰＤＡ、ノートパソコン、ウェアラブルパソコン、電卓、電子辞書等の電子機器の筐体にも適用可能である。さらに、自動車等に用いられるパネルの固定にも応用することができる。この場合には、プッシュリベットにより固定する構造としてもよい。
【図面の簡単な説明】
【００２３】
【図１】本実施の形態に係る携帯電話機１の一部を分解した分解斜視図である。
【図２】図１のII−II矢視断面図である。
【図３】ネジ６０による前面ケース５０と背面ケース４０との接合部の断面図である。
【図４】ネジ６０による前面ケース５０とヒンジ３２との接合部の断面図である。
【符号の説明】
【００２４】
４０  背面ケース（第１の部品）
４２  インサートナット（固定部）
５０  前面ケース（第２の部品）
５２  プレート（補強部材）
５４  取付孔
６０  ネジ（固定具）
６１  ネジ部（定着部）
６２  頭部
【図１】
2010135548.tif 000003
【図２】
2010135548.tif 000004
【図３】
2010135548.tif 000005
【図４】
2010135548.tif 000006